(57)【要約】【課題】  突出し窓では、窓としての役割は、十分である。防虫、防塵等のための手段を、別に設ける必要性があり、例えば、網戸が考えられる。また、これらの突出し窓では、開き空間が広くなる構造が多く、必要により、防犯等のための手段、例えば、網戸、格子窓、シャッタ等が必要とされる。【解決手段】  本発明の突出し窓は、差込み幅を備えた窓枠、窓枠の上部と、窓枠に接触される窓框の上部とを枢着する枢着部、窓枠に設けた下枠袋部、下枠袋部に差込まれる窓框の左右の縦框に対で設けた略三角巾形の各ネット枠体、各ネット枠体に、それぞれ張装した各ネットと、で構成し、窓枠の（内側）各縦枠及び（内側）各横枠、窓框の各縦框及び各窓框とは、窓の閉塞時に、接触する。全体を木製とした額縁感覚の窓である。【選択図】      図１
2018199929.tif 000002
【特許請求の範囲】
【請求項１】
差込み幅を備えた窓枠と、この窓枠に接触される框面を備えた窓框と、この窓框の上部と前記窓枠の上部とを枢着する枢着部と、前記窓枠の何れかの箇所に設けた部屋と、この部屋に差込まれる、前記窓框の前記框面の左右側と下側とに設けた略三角巾形のネット枠体と、このネット枠体に張装した三角巾受け形ネットと、で構成した窓であり、
前記窓枠の枠面と、この枠面に対峙する前記窓框の前記框面とは、窓の閉塞時に接触するとともに、この接触時に、前記部屋に、前記ネット枠体とネットとが収容されることを特徴とした突出し窓の構造。
【請求項２】
前記窓枠、前記窓框、及び／又はネット枠体は、木材で構成することを特徴とした請求項１に記載の突出し窓の構造。
【請求項３】
前記ネット枠体は、前記窓框の各縦框に設けた各第１板材と、この各第１板材に山形形状に設けた各第２板材と、前記各第１板材の下端と前記各第２板材の下端とをそれぞれ繋ぐ各第３板材とで構成し、このネット枠体に、前記ネットを張装することを特徴とした請求項１に記載の突出し窓の構造。
【請求項４】
前記窓枠の上枠と、前記窓框の上框との間に、隙間を埋める遮蔽部材を設けることを特徴とした請求項１に記載の突出し窓の構造。
【請求項５】
前記窓枠の窓枠の室外側に、飾用の飾部を設けることを特徴とした請求項１に記載の突出し窓の構造。
【請求項６】
前記ネットは、折畳みできることを特徴とした請求項１に記載の突出し窓の構造。
【発明の詳細な説明】
【技術分野】
【０００１】
本発明は、木製で、額縁感覚を備えた突出し窓（外開き窓）に関する。
【背景技術】
【０００２】
この種の木製窓として、例えば、窓枠の内側各上部と、障子枠の各上部とにステー（１６）を枢着し、窓枠の内側各下端と、障子枠の各下端とにオペレータアーム（２０）を枢着し、縦横押出し障子とする発明が開示されている（文献１とする）。文献（１）は、木製窓の軽量化を意図する。
【０００３】
そして、この文献（１）の横押出し障子に関しては、［００５５］と図６とに詳細に説明されている。
【０００４】
また、本発明が意図する突出し窓に関しては、図１０に示したものが知られている。構造は、文献（１）と、略同じ構造である。
【０００５】
この文献（１）とか、周知の突出し窓とかでは（従来の突出し窓とする）、開放時において、少なくとも、虫除け、防塵、防犯等のための手段、例えば、網戸、格子窓、シャッタ等を別に設ける必要があり、構造の複雑化と、コストの上昇とを伴うことが考えられる。
【０００６】
【特許文献１】特開２０１２−７２６５４号公報
【発明の概要】
【発明が解決しようとする課題】
【０００７】
従来の突出し窓では、窓としての役割は、十分である。しかし、前述の如く、防虫、防塵等のための手段を、別に設ける必要性があり、例えば、網戸が考えられる。また、これらの突出し窓では、開き空間が広くなる構造が多く、必要により、防犯等のための手段、例えば、網戸、格子窓、シャッタ等が必要とされる。
【０００８】
上記に鑑み、本発明は、木製で、額縁感覚を備えた突出し窓を提供する。また、防虫、防塵、又は防犯等にも有効な突出し窓を提供する。
【課題を解決するための手段】
【０００９】
前述した、本発明の目的を達成する為に、請求項１〜６に記載の発明を開示する。
【発明の効果】
【００１０】
請求項１の発明において、差込み幅を備えた窓枠と、この窓枠に接触される框面を備えた窓框と、この窓框の上部と前記窓枠の上部とを枢着する枢着部と、前記窓枠の何れかの箇所に設けた部屋と、この部屋に差込まれる、前記窓框の前記框面の左右側と下側とに設けた、正面視して略三角巾形のネット枠体（ネット用の外郭枠体）と、このネット枠体に張装した三角巾受け形のネットと、で構成した窓であり、
前記窓枠の枠面と、この枠面に対峙する前記窓框の前記框面とは、窓の閉塞時に接触するとともに、この接触時に、前記部屋に、前記ネット枠体とネットとが収容されることを特徴とした。
【００１１】
従って、請求項１では、窓枠と窓框との開放時において、この開放部を、略三角巾形のネット枠体に張装したネットで閉塞する構造であり、防虫、防塵、又は防犯等にも有効な構造である。また、この略三角巾形のネット枠体で、窓枠と窓框との開放時を支えることができ、例えば、強度の向上と、窓框のガタ防止に有効である。
【００１２】
請求項２の発明において、突出し窓の構造は、前記窓枠、前記窓框、及び／又はネット枠体は、木材で構成することを特徴とした。
【００１３】
従って、請求項２では、外開き窓が、額縁感覚を表現できる。その他は、請求項１に準ずる。
【００１４】
請求項３の発明においては、前記ネット枠体は、前記窓框の各縦框に設けた各第１板材と、この各第１板材に山形形状に設けた各第２板材と、前記各第１板材の下端と前記各第２板材の下端とをそれぞれ繋ぐ各第３板材とで構成し、このネット枠体に、前記ネットを張装することを特徴とした。
【００１５】
従って、請求項３では、請求項１の目的達成に最適な、ネット枠体を提供できる。
【００１６】
請求項４の発明において、前記窓枠の上枠と、前記窓框の上框との間に、隙間を埋める遮蔽部材を設けることを特徴とした。
【００１７】
従って、請求項４では、窓としての機能を発揮できる。その他は、請求項１に準ずる。
【００１８】
請求項５の発明においては、前記窓枠の室外側に、飾用の飾部を設けることを特徴とした。
【００１９】
従って、請求項５では、出窓としての感覚（雰囲気）と装飾性を発揮できる。その他は、請求項１に準ずる。
【００２０】
請求項６の発明においては、前記ネットは、折畳みできることを特徴とした。
【００２１】
従って、請求項６では、突出し窓であっても請求項１の目的を達成できるネットの構造を提案できる。
【図面の簡単な説明】
【００２２】
【図１】本発明の突出し窓を示し、窓枠を開いた状態を室外（屋外）より視た一部欠截の俯瞰図
【図２】突出し窓を示し、窓枠を開いた状態を室内（屋内）より視た俯瞰図
【図３−１】突出し窓を示した背面図
【図３−２】突出し窓を示した側面図
【図３−３】突出し窓を示し、窓枠を開いた一部欠截の側面図
【図４】突出し窓を示した背面図であって、各部材の重なりを図示した図と、その要部を拡大した図
【図５−１】図４のＡ−Ａ断面図
【図５−２】図５−１の突出し窓を示し、一部欠截の窓枠を開いた断面図
【図６−１】図４のＡ´−Ａ´断面図
【図６−２】図６−１の突出し窓を示し、窓枠を開いた断面図
【図７】突出し窓を利用して擬似額縁として示した、室外側より視た正面図
【図８】突出し窓を建屋に取付けた要部の正面図
【図９】ネット枠体の外郭体（略三角巾形）を示した俯瞰図
【図１０】従来の突出し窓の一例を示した俯瞰図
【発明を実施するための形態】
【００２３】
例えば、図１、図２において、突出し窓Ａは、差込み幅Ｘを備えた方形状等（対の縦枠と対の横枠とを枠組みした）の窓枠１と、この窓枠１の室外側Ａ１の上部１００ｂの端部と、室内側Ａ２の上部２００ｂの端部とを、蝶番３等で枢着した方形状等（対の縦枠と対の横枠を枠組みした）の窓框２と、前記窓枠１の室内側Ａ２の枠辺に設けた飾部４０等を備えた方形状等（対の縦枠と対の横枠とを枠組みした）の枠板４と、前記窓框２の框体２０１の室内側Ａ２に固止したネット枠体５（ネット用の外郭枠体）と、このネット枠体５に張装したネット６と、を主構成とする。窓框２の上部２００ｂは、窓枠１の上部１００ｂより突出した長さを有する。この突出した長さと同じ長さだけ、枠板４の上部４００ａは突出する。
【００２４】
以下、各部材を個別に説明する。
【００２５】
窓枠１は、図１、図２と、図３−１〜３、又は図５−１〜図６−２等に示されており、上下枠１ａ、１ｂと左右枠１ｃ、１ｄ（左側Ａ３・右側Ａ４）で枠組みされた方形状（丸形状、変形状等を含む、以下同じ）である。この方形状の室外側Ａ１の枠面１００ａは、後述する窓框の框面と接触する（窓枠１が、後述する窓框に接触する時であり、突出し窓Ａを閉めた際）。そして、この窓枠１には、例えば、一枚の内底板１−１を備えるとともに、左右枠１ｃ、１ｄの内面に内左右板１−１ｂ、１−１ｃを備える。窓枠１は、方形状等の開口部１００を有する。
【００２６】
これにより、窓枠１の下枠１ｂの内面と、これに対峙する、内底板１−１の下面（内底板１−１の底裏面）との間、及びこの左右枠１ｃ、１ｄの内面と、内左右板１−１ｂ、１−１ｃの外面との間に、鍵型の差込み部屋１００ｄが形成される。この部屋１００ｄは、窓枠１の下側に室内側Ａ２に向って開口する。この部屋１００ｄには、後述する左右の三角形（対）の枠材と、この枠材間を繋ぐ底の（対の）枠材とでなるネット枠体と、左右の三角形（対）のネットと、このネット間を繋ぐ底のネットとが収容される。前述の対のネット枠体等の収容状況は、図５−１と図６−１の如く、窓框２を室内側Ａ２に戻した際に（突出し窓Ａを窓枠１に閉めた際に）できる。また、対のネット枠体等の部屋１００ｄから突出し状況（非収容状況）は、図１の如く、窓框２を室外側Ａ１に突出した際に（突出し窓Ａを窓枠１で開いた際に）できる。
【００２７】
窓框２は、全図に示されており（図８、図９、図１０等を除く）、前述の如く、窓枠１の枠板１００ｂの室外側Ａ１に枢着されている。上部２００ｂは、窓枠１の上部１００ｂより上方に突出ている。窓框２は、例えば、方形状の框体２０１（枠体）とガラス２０２で構成されている。図中２００ａは框面で、窓框２の室内側Ａ２の面である。窓框２は、方形状等の開口部２００を有する。この開口部１００には、ガラス２０２が設けられている。
【００２８】
枠板４（取付け枠）は、全図（図３−１、図５、図１０等を除く）に示されており、前述の如く、窓枠１の枠板１００ｂの室内側Ａ２に固定されている。上部４００ａは、窓枠１の上部１００ｂより上方に突出ており、かつ窓框２の上部２００ｂと同じ高さとなっている。枠板４は、方形の枠体４０１である。この枠体４０１は、窓框２の框体２０１と同じ寸法の構造体である。枠板４は、方形状等の開口部４００を有する。
【００２９】
前記開口部１００、２００と４００は、同じ形状が望ましい。
【００３０】
ネット枠体５は、図９に代表図として示されており、外郭体は枠材の組合せでなり、略三角巾形であり、両繋ぎ箇所が、略直角である。そして、ネット枠体５は、前述の如く、窓框２の框体２０１の室内側Ａ２で、かつ左右に対で設けた対の第１板材５００（対の第１板材５００「枠材」）と、対の第１板材５００の対の下端５００ｂより室内側Ａ２に向って、対の一端５０２ａ（基端）を、それぞれ直角に設けた対の第３板材５０２（対の第３板材５０２「枠材」）と、前記対の第１板材５００の上端５００ａに、それぞれ、対の上端５０１ａを枢着するとともに、対の下端５０１ｂに向って、山形形状に垂架する対の第２板材５０１（対の第２板材５０１「枠材」）と、この対の第２板材５０１の対の下端５０１ｂに、前記対の第３板材５０２の他端５０２ｂ（先端）に、それぞれ繋ぐように構成される。従って、このネット枠体５は、図９の如く、略三角巾の要素となる対の側部材を骨組み形成する。
【００３１】
そして、図示の如く（図５−１〜図６−２参照）、三角形状の対の側部材と、この対の側部材を繋ぐ、前記対の第３板材５０２の対の一端５０２ａ間（又は、対の第１板材５００の各下端５００ｂ間か、対の第２板材５０１の各下端５０１ｂ間）と、対の第３板材５０２の対の他端５０２ｂ間（又は、対の第１板材５００の各下端５００ｂ間か、対の第２板材５０１の各下端５０１ｂ間）と、に、それぞれ両端を繋ぐ、二本の第４板材５０３、第５板材５０４とを備える。これによって、例えば、図２、図９に示すように、三角形空間Ｃ１、Ｃ２と、長方形空間Ｃ３と、を形成する。この三角形空間Ｃ１、Ｃ２と、長方形空間Ｃ３には、それぞれ相似形のネット材６Ａ〜６Ｃが設けられる。このネット材６Ａ〜６Ｃで、丁度、三角巾受け形を形作る。尚、ネット６は、材料は拘らないが、例えば、金属製ネット（各態様の網体）、繊維製ネット、樹脂製ネットとする。例えば、金属製ネットは張りが有り、体裁がよい、また色の自由度等がある。また、繊維製ネットは、可撓性が有り、折畳み・色の自由度等がある。さらに樹脂製ネットは、樹脂素材は、体裁とか、折畳み・色の自由度等がある。
【００３２】
図中７は遮蔽部材であり、例えば、窓枠１の上部１００ｂと、窓框２の上部２００ｂとの隙間等を遮蔽する。
【００３３】
図８の如く、窓枠１は、建物の躯体Ｈの窓用の開口部Ｈ１に設けられる。例えば、上下１対の横仕上げ枠材Ｈ２、Ｈ３と、左右１対の縦仕上げ枠材Ｈ４、Ｈ５に固定されており、開口部５Ｈ１を塞いでいる。また、図５−１と図６−１は、窓框２の框体２０１の框面２００ａが、窓枠１の枠面１００ａに接触し（窓框２が閉まっている状況であり）、ネット枠体５とネット６は、部屋１００ｄに収容されていて、ロック８（ロック８の構造は、自由であり、図示の例に限定されない。また、鍵の種類は問わない）が働いている状態である。そして、窓枠１のロック８を解除し、窓框２を、室外側Ａ１に押す動作を行うと、窓框２が、蝶番３を支点として可動し、室外側Ａ１に突出し、窓が開放される。図５−２と図６−２、又は図１と図２とで示されている。この開放状態では、この窓框２が室外側Ａ１に突出された状況になるため、窓框２の框体２０１は押出される。これにより、框体２０１に支持されているネット枠体５も室外側Ａ１に突出する。よって、ネット枠体５は、框体２０１の室内側Ａ２（框面２００ａ）と、窓枠１の室外側Ａ１（枠面１００ａ）との間の各空間を塞ぎ、害虫等の侵入を防止する。以上の説明が、突出し窓Ａの開閉である。
【００３４】
前述した各実施例は、本発明の好ましい一例の説明である。従って、本発明は前述した各実施例に限定されるものではなく、発明の趣旨の範囲において構成の一部を変更する構造とか、同じ特徴と効果を達成できる構造、等は、本発明の範疇である。
【符号の説明】
【００３５】
Ａ  突出し窓
Ａ１  室内側
Ａ２  室外側
Ａ３  左側
Ａ４  右側
１  窓枠
１００  開口部
１ａ  上枠
１ｂ  下枠
１ｃ  左枠
１ｄ  右枠
１００ａ  枠面
１００ｂ  上部
１００ｃ  枠体
１００ｄ  部屋
１−１  内底板
１−１ａ  底板
１−１ｂ  内左板
１−１ｃ  内右板
２  窓框
２００  開口部
２００ａ  框面
２００ｂ  上部
２０１  框体
２０２  ガラス
３  蝶番
４  板枠
４０  飾部
４００  開口部
４００ａ  上部
４０１  枠体
５  ネット枠体（ネット用の外郭枠体）
５００  第１板材
５００ａ  上端
５００ｂ  下端
５０１  第２板材
５０１ａ  上端
５０１ｂ  下端
５０２  第３板材
５０２ａ  一端（基端）
５０２ｂ  他端（先端）
５０３  第４板材
５０４  第５板材
Ｃ１  三角形空間
Ｃ２  三角形空間
Ｃ３  長方形空間
６  ネット
６Ａ〜６Ｃ  ネット材
７  遮蔽部材
８  ロック
Ｈ  躯体
Ｈ１  開口部
Ｈ２  横仕上げ枠体
Ｈ３  横仕上げ枠体
Ｈ４  縦仕上げ枠体
Ｈ５  縦仕上げ枠体
【図１】
2018199929.tif 000003
【図２】
2018199929.tif 000004
【図３−１】
2018199929.tif 000005
【図３−２】
2018199929.tif 000006
【図３−３】
2018199929.tif 000007
【図４】
2018199929.tif 000008
【図５−１】
2018199929.tif 000009
【図５−２】
2018199929.tif 000010
【図６−１】
2018199929.tif 000011
【図６−２】
2018199929.tif 000012
【図７】
2018199929.tif 000013
【図８】
2018199929.tif 000014
【図９】
2018199929.tif 000015
【図１０】
2018199929.tif 000016
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
差込み幅を備えた窓枠と、この窓枠の室外側に接触される框面を備えた窓框と、この窓框の上部と前記窓枠の上部とを枢着する枢着部と、前記窓枠の何れかの箇所に設けた部屋と、この部屋に差込まれる、前記窓框の前記框面の左右側と下側とに設けた略三角巾形のネット枠体と、このネット枠体に張装した三角巾受け形ネットと、で構成し、
前記窓枠の室内側には、開口部を備えた板枠を設け、この窓枠の室外側にはガラスを備えた前記窓框を設ける構成とし、
この板枠と、この窓框を同寸法とし、
前記窓枠の前記室外側となる枠面と、この枠面に対峙する前記窓框の前記框面とは、窓の閉塞時に当接するとともに、この当接時に、前記部屋に、前記ネット枠体とネットとが収容されることを特徴とした突出し窓の構造。
【請求項２】
前記窓枠、前記窓框、及び／又は前記ネット枠体は、木材で構成することを特徴とした請求項１に記載の突出し窓の構造。
【請求項３】
前記ネット枠体は、前記窓框の各縦框に設けた各第１板材と、この各第１板材に山形形状に設けた各第２板材と、前記各第１板材の下端と前記各第２板材の下端とをそれぞれ繋ぐ各第３板材とで構成し、このネット枠体に、前記ネットを張装することを特徴とした請求項１に記載の突出し窓の構造。
【請求項４】
前記窓枠の上枠と、前記窓框の上框との間に、隙間を埋める遮蔽部材を設けることを特徴とした請求項１に記載の突出し窓の構造。
【請求項５】
前記窓枠の窓枠の室内側に、飾用の飾部を設けることを特徴とした請求項１に記載の突出し窓の構造。
【請求項６】
前記ネットは、折畳みできることを特徴とした請求項１に記載の突出し窓の構造。
【手続補正２】
【補正対象書類名】明細書
【補正対象項目名】００１１
【補正方法】変更
【補正の内容】
【００１１】
請求項１の発明では、差込み幅を備えた窓枠と、窓枠の室外側に接触される框面を備えた窓框と、窓框の上部と窓枠の上部とを枢着する枢着部と、窓枠の何れかの箇所に設けた部屋と、部屋に差込まれる、窓框の前記框面の左右側と下側とに設けた略三角巾形のネット枠体と、ネット枠体に張装した三角巾受け形ネットと、で構成し、
窓枠の室内側には、開口部を備えた板枠を設け、窓枠の室外側にはガラスを備えた窓框を設ける構成とし、
板枠と、窓框を同寸法とし、
窓枠の室外側となる枠面と、枠面に対峙する窓框の框面とは、窓の閉塞時に当接するとともに、当接時に、部屋に、ネット枠体とネットとが収容されることを特徴とした。
【手続補正３】
【補正対象書類名】明細書
【補正対象項目名】００１８
【補正方法】変更
【補正の内容】
【００１８】
請求項５の発明では、窓枠の窓枠の室内側に、飾用の飾部を設けることを特徴とした。
【手続補正４】
【補正対象書類名】明細書
【補正対象項目名】００２６
【補正方法】変更
【補正の内容】
【００２６】
これにより、窓枠１の下枠１ｂの内面と、これに対峙する、内底板１−１の下面（内底板１−１の底裏面）との間、及びこの左右枠１ｃ、１ｄの内面と、内左右板１−１ｂ、１−１ｃの外面との間に、鍵型の差込み部屋１００ｄが形成される。この部屋１００ｄは、窓枠１の下側に室外側Ａ１に向って開口する。この部屋１００ｄには、後述する左右の三角形（対）の枠材と、この枠材間を繋ぐ底の（対の）枠材とでなるネット枠体と、左右の三角形（対）のネットと、このネット間を繋ぐ底のネットとが収容される。前述の対のネット枠体等の収容状況は、図５−１と図６−１の如く、窓框２を室内側Ａ２に戻した際に（突出し窓Ａを窓枠１に閉めた際に）できる。また、対のネット枠体等の部屋１００ｄから突出し状況（非収容状況）は、図１の如く、窓框２を室外側Ａ１に突出した際に（突出し窓Ａを窓枠１で開いた際に）できる。